(57)【要約】      （修正有）【課題】車の運転中に日差しの強い時とか日没に近い時太陽が低い位置から日が差し込む場合通常のサンバイザー（日よけ）を下げてもさらに下方向から日が差す場合、防ぎようがない、ここで補助的に２段サンバイザーを提供する。【解決手段】旧サンバイザー１にほぼ同じサイズの半透明板１１（樹脂板）を重ね合わせて２／３ほど下げた所まぶしさが全くなくなった、そこで旧サンバイザー１の左右端にガイドを取り付け、サンバイザー１１差し込み必要に応じ、太陽光がまぶしい時などサンバイザー半透明板１１を下げて眩しさを抑える。また旧サンバイザーをサンドイッチの形に中空洞にし中間に半透明板の樹脂板を差し入れる、太陽光などで眩しいときに引き下げて眩しさを遮ることが出来る。【選択図】図１
0003162522.tif 000002
【実用新案登録請求の範囲】
【請求項１】
車の内部全面のサンバイザー（日よけ）１にサンバイザー１１を組み合わせする事を特徴とする、サンバイザー１１は半透明であることも特徴としたサンバイザーである。
【請求項２】
従来形式のサンバイザーにガイド９，９−１を左右に設ける  ガイド９，９−１の間にサンバイザー半透明板１１を差し込み、サンバイザー半透明板１１を差し込み引き出しを容易にした、これを特徴とするサンバイザー。
【請求項３】
サンバイザー半透明板１１を引きし出し使用中に抜け落ちないようにバネ７がガイド９，９−１の下の位置にバネ掛り１２の窪みに掛りサンバイザー半透明板１１が落下させないのが特徴とするサンバイザー、
【請求項４】
従来の形式の旧サンバイザー１−Ａを中空洞にしサンドイッチタイプにした、中間サンバイザー半透明板１１−Ａを中空洞に入れ必要な時に引き出し収納を容易にしたサンバイザーを特徴とする（図面１０、１１、１２、１３、１４参照）。
【請求項５】
サンドイッチタイプにしたサンバイザー１Ａの中間サンバイザー半透明板１１Ａが抜け落ちないように、旧サンバイザー１Ａの表面に左右２箇所スリット１４に切抜き、旧サンバイザー１１Ａの上部辺りにストッパーネジ１３を取り付ける、中間サンバイザー半透明板１１Ａの差し込みと引き出しの際にストッパーの働きするサンバイザーを特徴とする。
【考案の詳細な説明】
【技術分野】
【０００１】  本考案は車のサンバイザーに補助サンバイザーを構成に関する。
【背景技術】
【０００２】  従来の車のサンバイザーは日没近くになると太陽光がかなり低くなるために太陽光をさえぎる事が出来ない、そのために交通事故が多く発生するのが現状である、また真夏の太陽光がサンサン照り付ける場合も同じで工夫がなされていないのである。
【考案の開示】
【考案が解決しようとする課題】
【０００３】  旧サンバイザー１にほぼ同じサイズの半透明板１１（樹脂板）を重ね合わせて２／３ほど下げた所まぶしさが全くなくなった、そこで旧サンバイザー１の左右端にガイド９，９−１を取り付けサンバイザー半透明板１１差し込み必要に応じ太陽光がまぶしい時などサンバイザー半透明板１１を下げて眩しさを抑えることで解決とする。【０００４】  また旧サンバイザーをサンドイッチの形に中空洞にし中間に半透明の樹脂板１１Ａを差し入れる、太陽光などで眩しいときに引き下げて眩しさを遮ることが出来る事で解決する。
【課題を解決するための手段】
【０００５】  図１のサンバイザー１にサンバイザー半透明板１１のガイド９、９−１を左右に固定させる、サンバイザー半透明板１１をガイドに沿って下方向からから差し込む、日差しが強い時は図４のようにサンバイザー半透明板１１を引き下げることを可能にするものである。【０００６】サンバイザー１にサンバイザー半透明板１１を差し入れた時にサンバイザー半透明板１１が抜け落ちないように図６に示すストッパー用バネ７がサンバイザー半透明板１１の上部左右にストッパー取り付けネジで固定される、サンバイザー半透明板１１が押し上げた時にストッパー用バネがガイド９の上部に引っ掛かる事でサンバイザー半透明板１１は脱落しない、またサンバイザー半透明板１１を下げた時は、ガイド９の下の所にストッパー用バネ掛り１２があり、ここにバネ７が入りサンバイザー半透明板１１が脱落しない。【０００７】図１０，１１，１２，１３，１４のサンバイザー半透明板１１Ａを引き出しの際に抜け落ちる事を防ぐためにサンバイザー１Ａの表面左右にスリットに抜き、サンバイザー半透明１１Ａの表面からストッパネジで取り付ける事で解決手段とする。
【考案を実施の形態】
【０００８】  図１〜５に於いて説明する、一般的にはサンバイザーは不透明であり、サンバイザー１に半透明版１１を重ね合わせる、サンバイザー半透明板１１のガイド９，９−１（左右にあり）ガイド取り付けネジ８で固着する、サンバイザー半透明板１１を差し込みと引き下げが容易になる、サンバイザー１１が半透明であるために遮光の役目があり安全運転に繋がるというものです。
【０００９】  図６〜９に於いて説明する、本考案の右側半分にを拡大した物である、図６はサンバイザー半透明板１１が納さまった状態である、サンバイザー半透明板１１が抜け落ちを防止するためにストッパーはバネ７（左右あり）を設けてある、また図７はサンバイザー１が必要なでない時に車の天井の方に向
【００１０】    図１１，１１，１２，１３，１４於いて説明する、サンバイザー１Ａを初期に作る際に中空間にしてサンバイザー半透明板１１Ａを挿入する、またサンバイザー半透明板１１Ａが抜け落ちないためにスリット１４を左右設けて、サンバイザー半透明板１１Ａを挿入する、またサンバイザー半透明板１１Ａが入った状態でスリット１４のところからストッパーネジ１３を左右取り付けることでサンバイザー半透明板１１Ａを抜け落ちないようにした物である。
【考案の効果】
【００１１】  従来のサンバイザーでは日没の頃になると太陽光を遮ることが不可能である、本考案は従来のサンバイザーにさらに別のサンバイザー半透明板１１を組あわせて、さらに眩しい時に引き下げるために眩しさがなくなる、半透明板であるために視界が全て見通せる、そのために安運転に繋がる効果がある。
【図面の簡単な説明】
【００１２】
【図１】    サンバイザーを閉じこんだ状態の平面図
【図２】    サンバイザーを閉じこんだ状態の側面図
【図３】    サンバイザーの断面図
【図４】    サンバイザーを引き出した状態の平面図
【図５】    サンバイザーを引き出した状態の側面図
【図６】    サンバイザーを閉じこんだ状態の右半分の拡大平面図
【図７】    サンバイザーを閉じこんだ状態と跳ね上げた状態の右半分の拡大断面図
【図８】    サンバイザーを引き出した状態の右半分の拡大平面図
【図９】    サンバイザーを引き出した状態と閉じ込状態を跳ね上げた右半分の拡大断面図
【図１０】    サンドイッチ型サンバイザーを閉じこんだ状態の平面図
【図１１】    サンドイッチ型サンバイザーを閉じこんだ状態の側面図
【図１２】    サンドイッチ型の断面図
【図１３】    サンドイッチ型のサンバイザーを引き出した状態の平面図
【図１４】    サンドイッチ型のサンバイザーを引き出した状態の側面図
【符号の説明】
【００１３】    １          サンバイザー
２          サンバイザー留める
３          サンバイザー取り付けアーム
４          サンバイザー取り付けプレート
５          サンバイザー取り付けネジ（２箇所あり）
６          サンバイザーガイド取り付けネジ（左右あり）
７          サンバイザーストッパーバネ（左右あり）
８          サンバイザーストッパーバネ取り付けネジ（左右あり）
９          サンバイザーガイド（左右あり）
９−１      サンバイザーガイド（左右あり）
１１        サンバイザー半透明板
１２        サンバイザーバネ掛り（切り込み）
１３        ストッパーネジ（左右あり）
１４        スリット（ガイド）（左右あり）
１Ａ        サンバイザー
１１Ａ      サンバイザー半透明板
【図１】
0003162522.tif 000003
【図２】
0003162522.tif 000004
【図３】
0003162522.tif 000005
【図４】
0003162522.tif 000006
【図５】
0003162522.tif 000007
【図６】
0003162522.tif 000008
【図７】
0003162522.tif 000009
【図８】
0003162522.tif 000010
【図９】
0003162522.tif 000011
【図１０】
0003162522.tif 000012
【図１１】
0003162522.tif 000013
【図１２】
0003162522.tif 000014
【図１３】
0003162522.tif 000015
【図１４】
0003162522.tif 000016
【手続補正書】
【提出日】平成22年4月2日(2010.4.2)
【手続補正１】
【補正対象書類名】実用新案登録請求の範囲
【補正対象項目名】全文
【補正方法】変更
【補正の内容】
【実用新案登録請求の範囲】
【請求項１】
車の内部全面に設置した主サンバイザー（日よけ）１に、半透明板状の補助サンバイザー１１を重ねて設置し、前記補助サンバイザーを引き下げて前記主サンバイザーの下方に突き出して保持可能である事を特徴とするサンバイザー。
【請求項２】
前記主サンバイザーの左右端部にそれぞれ溝付きのガイド９，９−１を装着し、核ガイド９，９−１の溝に前記半透明板状の補助サンバイザー１１を挿入し、左右のサンバイザーガイド９、９−１に挟持された状態で前記補助サンバイザー１１が差し込み引き出しされることを特徴とする請求項１に記載したサンバイザー。
【請求項３】
前記補助サンバイザー１１お左右端部にそれぞれ外側に開くバネ７を固定し、核バネ７が前記ガイド９を押し、前記補助サンバイザーが最大突出位置にあるときに前記ガイド９に設けた窪み１２に、前記バネ７の一部が嵌る構造である事を特徴とする請求項２に記載したサンバイザー。
【請求項４】
前記主サンバイザーを中空洞状にし、前記補助サンバイザーが前記中空洞内にサンドイッチ状に収納可能であることを特徴とする請求項１に記載したサンバイザー。
【請求項５】
前記中空洞状の主サンバイザー１Ａの左右２箇所に、中空洞と表面を繋ぐスリット１４を切り抜き、前記スリット１４に通したネジ１３を前記補助サンバイザー１１Ａに取り付けることにより、前記補助サンバイザーの差し込みと引き出しの際に上部辺りにストッパーネジ１３を取り付ける、中間サンバイザー半透明板１１Ａの差し込みと引き出しの際に前記スリットと前記ネジがストッパーの働きすることを特徴とする請求項４に記載したサンバイザー。
【手続補正２】
【補正対象書類名】明細書
【補正対象項目名】０００３
【補正方法】変更
【補正の内容】
【０００３】主サンバイザー１にほぼ同じサイズの半透明板１１（樹脂板）を重ね合わせて２／３ほど下げた所まぶしさが全く無くなった、そこで主サンバイザー１の左右端にガイド９、９−１を取り付けサンバイザー半透明板１１（補助サンバイザー）を差し込み必要に応じ太陽光がまぶしいときなどサンバイザー半透明板１１を下げて眩しさをおさえる事で解決とする。
【手続補正３】
【補正対象書類名】明細書
【補正対象項目名】０００４
【補正方法】変更
【補正の内容】
【０００４】また主サンバイザーをサンドイッチの形に中空洞にし中間に半透明の樹脂板１１Ａ（補助サンバイザー）を差し入れる、太陽光などで眩しいときに引き下げて眩しさを遮ることが出来ることで解決する。
【手続補正書】
【提出日】平成22年6月16日(2010.6.16)
【手続補正１】
【補正対象書類名】実用新案登録請求の範囲
【補正対象項目名】全文
【補正方法】変更
【補正の内容】
【実用新案登録請求の範囲】
【請求項１】
車の内部全面に設置した主サンバイザー（日よけ）１に、半透明板状の補助サンバイザー１１を重ねて設置し、前記補助サンバイザーを引き下げて前記主サンバイザーの下方に突き出して保持可能である事を特徴とするサンバイザー。
【請求項２】
前記主サンバイザーの左右端部にそれぞれ溝付きのガイド９，９−１を装着し、核ガイド９，９−１の溝に前記半透明板状の補助サンバイザー１１を挿入し、左右のサンバイザーガイド９、９−１に挟持された状態で前記補助サンバイザー１１が差し込み引き出しされることを特徴とする請求項１に記載したサンバイザー。
【請求項３】
前記補助サンバイザー１１の左右端部にそれぞれ外側に開くバネ７を固定し、核バネ７が前記ガイド９を押し、前記補助サンバイザーが最大突出位置にあるときに前記ガイド９に設けた窪み１２に、前記バネ７の一部が嵌る構造である事を特徴とする請求項２に記載したサンバイザー。
【請求項４】
前記主サンバイザーを中空洞状にし、前記補助サンバイザーが前記中空洞内にサンドイッチ状に収納可能であることを特徴とする請求項１に記載したサンバイザー。
【請求項５】
前記中空洞状の主サンバイザー１Ａの左右２箇所に、中空洞と表面を繋ぐスリット１４を切り抜き、前記スリット１４に通したネジ１３を前記補助サンバイザー１１Ａに取り付けることにより、前記補助サンバイザーの差し込みと引き出しの際に上部辺りにストッパーネジ１３を取り付ける、中間サンバイザー半透明板１１Ａの差し込みと引き出しの際に前記スリットと前記ネジがストッパーの働きすることを特徴とする請求項４に記載したサンバイザー。